(57)【要約】【課題】  従来の電話局の加入者回線を利用したまま、着信によりオフフックした後、ハンドセットからリンガ音が聞こえることを防止する。【解決手段】  着信に対するハンドセットのオフフックを検出するオフフック検出部１０３と、前記オフフック検出部により前記ハンドセットのオフフックが検出された時に、フックスイッチをオフ状態からオン状態に切り換えるフックスイッチ制御部１０５と、前記オフフック検出部により前記ハンドセットのオフフックが検出された時から所定時間経過後に、スピーカを回線に接続する接続手段１０７、１０９と、を備える。【選択図】        図４
2006325089.tif 000002
【特許請求の範囲】
【請求項１】
着信に対する応答を検出する応答検出手段と、
前記応答検出手段により前記応答が検出された時に、局に対して応答を通知する応答通知手段と、
前記応答検出手段により前記応答が検出された時から所定時間経過後に、スピーカを回線に接続する接続手段と、
を備えることを特徴とする電話装置。
【請求項２】
着信に対する応答を検出する応答検出手段と、
前記応答検出手段により前記応答が検出された時に、局に対して応答を通知する応答通知手段と、
前記応答検出手段により前記応答が検出された時から所定時間経過後に、スピーカを回線に接続する接続手段と、
を備えることを特徴とする電話交換機。
【請求項３】
着信に対する応答を検出する応答検出ステップと、
前記応答検出ステップにより前記応答が検出された時に、局に対して応答を通知する応答通知ステップと、
前記応答検出ステップにより前記応答が検出された時から所定時間経過後に、スピーカを回線に接続する接続ステップと、
を備えることを特徴とする電話回線接続方法。
【請求項４】
着信に対するハンドセットのオフフックを検出するオフフック検出部と、
前記オフフック検出部により前記ハンドセットのオフフックが検出された時に、フックスイッチをオフ状態からオン状態に切り換えるフックスイッチ制御部と、
前記オフフック検出部により前記ハンドセットのオフフックが検出された時から所定時間経過後に、スピーカを回線に接続する接続手段と、
を備えることを特徴とする電話装置。
【請求項５】
着信に対するハンドセットのオフフックを検出するオフフック検出ステップと、
前記オフフック検出ステップにより前記ハンドセットのオフフックが検出された時に、フックスイッチをオフ状態からオン状態に切り換えるフックスイッチ制御ステップと、
前記オフフック検出ステップにより前記ハンドセットのオフフックが検出された時から所定時間経過後に、スピーカを回線に接続する接続ステップと、
を備えることを特徴とする電話回線接続方法。
【請求項６】
着信に対する内線端末におけるハンドセットのオフフックを検出するオフフック検出部と、
前記オフフック検出部により前記内線電話におけるハンドセットのオフフックが検出された時に、局に対して応答を通知する応答通知手段と、
前記オフフック検出部により前記内線電話におけるハンドセットのオフフックが検出された時から所定時間経過後に局線インターフェース部の通話部と内線インターフェース部の通話部分とを接続する接続手段と、
を備えることを特徴とする電話交換機。
【請求項７】
着信に対する内線端末におけるハンドセットのオフフックを検出するオフフック検出ステップと、
前記オフフック検出ステップにより前記内線電話におけるハンドセットのオフフックが検出された時に、局に対して応答を通知する応答通知ステップと、
前記オフフック検出ステップにより前記内線電話におけるハンドセットのオフフックが検出された時から所定時間経過後に局線インターフェース部の通話部と内線インターフェース部の通話部分とを接続する接続ステップと、
を備えることを特徴とする電話回線接続方法。
【発明の詳細な説明】
【技術分野】
【０００１】
本発明は、公衆電話網等を通して通話等を行うための電話装置、電話交換機及び電話回線接続方法に関し、特に、リンガに関連した特徴を有する電話装置、電話交換機及び電話回線接続方法に関する。
【背景技術】
【０００２】
図１は、従来例による電話装置の回路図である。図２は、電話局の加入者回路のうちのリンガに関連した部分及び電話装置のうちリンガに関連した部分を示す回路図である。
【０００３】
図１及び図２を参照すると、電話装置の端子Ｌ１及び端子Ｌ２は、加入者回路に接続される。電話装置に着信があった場合、加入者回路のスイッチＳＷＡ及びＳＷＢがオンとなり、端子Ｌ１及び端子Ｌ２との間には、直流電源ＶＤＣが生成する直流電圧及び交流電源ＶＡＣが生成する交流電圧が印加される。そうすると、コンデンサＣ１が直流を阻止するため、リンガＢには交流電圧のみが印加され、これによりリンガＢはリンガ音を出力する。なお、この交流電圧の周波数は１６Ｈｚであり、また、この交流電圧は１秒間続いたならば、２秒間休止することを繰り返す。
【０００４】
ハンドセットがオフフックされると、フックスイッチＨＳ１及びフックスイッチＨＳ２がオンとなる。そうすると、電話装置の内部において、端子Ｌ１と端子Ｌ２との間にはスイッチＤ１（オン状態）、トランスＬ、スピーカＴ及びスイッチＨＳ２を経由する短絡経路が形成される。そうすると、加入者回路の抵抗ＲＡの両端に直流電圧が発生する。加入者回路の制御部（図示せず。）は、抵抗ＲＡの両端に直流電圧が発生したことを検出すると、スイッチＳＷＡ及スイッチＳＷＢをオフにする。これにより、リンガＢはリンガ音の出力を終了する。
【０００５】
これ以降、電話装置は、通話状態となり、加入者回路の給電切換・テスト・給電・監視・２線−４線変換・符号化部Ｓを介して、通話相手の電話装置と音声等の送受信を行う。
【特許文献１】特開昭５７−２０６１５１号公報
【特許文献２】特開昭６１−１４８９４４号公報
【発明の開示】
【発明が解決しようとする課題】
【０００６】
しかし、図３に示すように、フックスイッチＨＳ１及びフックスイッチＨＳ２がオンとなってからスイッチＳＷＡ及びスイッチＳＷＢがオフになり、これによりリンガ音が止むまでの間には、加入者回路の制御部の動作速度及び電話線での信号の伝送時間等に起因して、遅延時間が発生する。ユーザがハンドセットをオフフックしてから耳に当てるまでの時間がこの遅延時間よりも長い場合には問題がないが、そうでない場合には、交流電源ＶＡＣが発生する交流電圧がスピーカＲを駆動して、スピーカＲがリンガ音を出力するため、ユーザが耳に当てたハンドセットからリンガ音が聞こえることとなる。このような場合、そのリンガ音はユーザにとってみれば耳障りなノイズとして聞こえる。
【０００７】
特許文献１には、電話局の装置において、これを解決するための発明が記載されている。
【０００８】
本発明は、従来の電話局の加入者回線を利用したまま、着信によりオフフックした後、ハンドセットからリンガ音が聞こえることを防止することを可能とする電話装置、電話交換機及び電話回線接続方法を提供することを目的とする。
【課題を解決するための手段】
【０００９】
本発明の第１の観点によれば、着信に対する応答を検出する応答検出手段と、前記応答検出手段により前記応答が検出された時に、局に対して応答を通知する応答通知手段と、前記応答検出手段により前記応答が検出された時から所定時間経過後に、スピーカを回線に接続する接続手段と、を備えることを特徴とする電話装置が提供される。
【００１０】
本発明の第２の観点によれば、着信に対する応答を検出する応答検出手段と、前記応答検出手段により前記応答が検出された時に、局に対して応答を通知する応答通知手段と、前記応答検出手段により前記応答が検出された時から所定時間経過後に、スピーカを回線に接続する接続手段と、を備えることを特徴とする電話交換機が提供される。
【００１１】
本発明の第３の観点によれば、着信に対する応答を検出する応答検出ステップと、前記応答検出ステップにより前記応答が検出された時に、局に対して応答を通知する応答通知ステップと、前記応答検出ステップにより前記応答が検出された時から所定時間経過後に、スピーカを回線に接続する接続ステップと、を備えることを特徴とする電話回線接続方法が提供される。
【００１２】
本発明の第４の観点によれば、着信に対するハンドセットのオフフックを検出するオフフック検出部と、前記オフフック検出部により前記ハンドセットのオフフックが検出された時に、フックスイッチをオフ状態からオン状態に切り換えるフックスイッチ制御部と、前記オフフック検出部により前記ハンドセットのオフフックが検出された時から所定時間経過後に、スピーカを回線に接続する接続手段と、を備えることを特徴とする電話装置が提供される。
【００１３】
本発明の第５の観点によれば、着信に対するハンドセットのオフフックを検出するオフフック検出ステップと、前記オフフック検出ステップにより前記ハンドセットのオフフックが検出された時に、フックスイッチをオフ状態からオン状態に切り換えるフックスイッチ制御ステップと、前記オフフック検出ステップにより前記ハンドセットのオフフックが検出された時から所定時間経過後に、スピーカを回線に接続する接続ステップと、を備えることを特徴とする電話回線接続方法が提供される。
【００１４】
本発明の第６の観点によれば、着信に対する内線端末におけるハンドセットのオフフックを検出するオフフック検出部と、前記オフフック検出部により前記内線電話におけるハンドセットのオフフックが検出された時に、局に対して応答を通知する応答通知手段と、前記オフフック検出部により前記内線電話におけるハンドセットのオフフックが検出された時から所定時間経過後に局線インターフェース部の通話部と内線インターフェース部の通話部分とを接続する接続手段と、を備えることを特徴とする電話交換機が提供される。
【００１５】
本発明の第７の観点によれば、着信に対する内線端末におけるハンドセットのオフフックを検出するオフフック検出ステップと、前記オフフック検出ステップにより前記内線電話におけるハンドセットのオフフックが検出された時に、局に対して応答を通知する応答通知ステップと、前記オフフック検出ステップにより前記内線電話におけるハンドセットのオフフックが検出された時から所定時間経過後に局線インターフェース部の通話部と内線インターフェース部の通話部分とを接続する接続ステップと、を備えることを特徴とする電話回線接続方法が提供される。
【発明の効果】
【００１６】
本発明によれば、着信に対する応答を検出する応答検出手段と、前記応答検出手段により前記応答が検出された時に、局に対して応答を通知する応答通知手段と、前記応答検出手段により前記応答が検出された時から所定時間経過後に、スピーカを回線に接続する接続手段と、を備えるので、従来の電話局の加入者回線を利用したまま、着信によりオフフックした後、ハンドセットからリンガ音が聞こえることを防止することが可能となる。
【発明を実施するための最良の形態】
【００１７】
以下、図面を参照して本発明を実施するための最良の形態について詳細に説明する。
【００１８】
［実施形態１］
図４は、本発明の実施形態による電話装置の構成を示す回路図である。
【００１９】
本発明の実施形態による電話装置は、図１に示す従来例による電話装置と比べ、オフフック検出部１０３、フックスイッチ制御部１０５、遅延回路１０７、スピーカスイッチＳＷＲ及びスピーカスイッチ制御部１０９が追加されている。
【００２０】
本発明の実施形態による電話装置の図１に示す従来例による電話装置と共通な部分については、例えば、特許文献２で説明されている通り、周知慣用技術であるので、説明を省略する。
【００２１】
オフフック検出部１０３は、ハンドセット１０１のオフフックを検出する。フックスイッチ制御部１０５は、オフフック検出部１０３がハンドセット１０１のオフフックを検出したならば、オフフックスイッチＨＳ１及びオフフックスイッチＨＳ２をオフ状態からオン状態に切り換える。遅延回路１０７は、オフフック検出部１０３が検出したハンドセット１０１のオフフックのタイミングを遅延させる。スピーカスイッチＳＷＲは、スピーカＲと直列に接続され、オフである場合には、スピーカＲの両端子間に電圧がかからないようにする。スピーカスイッチ制御部１０９は、遅延時間１０７により遅延されたタイミングでスピーカスイッチＳＷＲをオフ状態からオン状態に切り換える。
【００２２】
図５は、図４に示す電話装置の動作を示すタイミング図である。
【００２３】
図５を参照すると、ハンドセット１０１がオフフックされると、無視できる程度の遅延時間後、フックスイッチＨＳ１及びフックスイッチＨＳ２がオフ状態からオン状態となる。この後、上述した加入者回路の動作によりリンガ駆動用交流電圧が止むが、ハンドセット１０１がオフフックされてからリンガ駆動用交流電圧が止むまでの間には、遅延時間が生じている。スピーカスイッチＳＷＲは、リンガ駆動用交流電圧が止んだ後にオフ状態からオン状態に切り換えられる。従って、スピーカＲが、ハンドセットがオフフックされた後もしばらく続いているリンガ駆動用交流電圧により駆動されることがなくなる。
【００２４】
ここで、遅延回路１０７の遅延時間について説明する。リンガ音がなっている最中にハンドセットがオフフックされた場合、次のリンガ音を鳴らすための交流電圧が加入者回路から電話装置に入力されることは通常はない。従って、リンガ音がなっている最中にハンドセットがオフフックされた場合のみを考慮するならば、現在のリンガ駆動用交流電圧うちのオフフック後の期間の部分のみをなくせば良いので、遅延回路１０７の遅延時間は１秒以上あればよい。他方、通話開始までの時間を考慮すると、遅延回路１０７の遅延時間は短ければ短い程よい。従って、遅延回路１０７の遅延時間を１秒とすればよい。
【００２５】
但し、リンガ音が鳴りだす直前にハンドセットがオフフックされた場合、遅延回路１０７の遅延時間を１秒とすると、次のリンガ音を鳴らすためのリンガ駆動用交流電圧が到来し、この末尾部分のものによりスピーカＲが駆動されてしまうおそれがある。従って、これを考慮する場合には、遅延回路１０７の遅延時間を１秒よりも若干長目（例えば、１．５秒）にとるのがよい。
【００２６】
また、リンガ音が鳴り終わった直後にハンドセットがオフフックされた場合、次のリンガ音を鳴らすためのリンガ駆動用交流電圧が到来することは通常ないため、遅延回路１０７の遅延時間を２秒以下としても問題はない。
【００２７】
上記のことを全て考慮すると、遅延回路１０７の遅延時間を１秒から２秒の範囲にすればよい。
【００２８】
また、電話装置を家庭等に据え付けた後にハンドセットがオフフックされてからリンガ駆動用交流電圧の到来が終了するまでの時間を測定する回路を設け、この回路が測定した時間またはそれにマージンを追加した時間を遅延回路１０７の遅延時間としてもよい。
【００２９】
図６は、ソフトウェアプログラムにより、フックスイッチＨＳ１、フックスイッチＨＳ２及びスピーカスイッチＳＷＲを制御する場合の動作を示すフローチャートである。
【００３０】
図６を参照すると、まず、着呼が開始するまで待つ（ステップＳ２０１）。これは、例えば、電源ＶＡＣ又は電源ＶＤＣが発生する電圧を検出することにより行われる。
【００３１】
次に、オフフックが行われるまで待つ（ステップＳ２０３）。
【００３２】
次に、フックスイッチＨＳ１及びフックスイッチＨＳ２をオフ状態からオン状態に切り換える（ステップＳ２０５）。
【００３３】
次に、カウントダウンタイマのカウント値を所定値にプリセットする（ステップＳ２０７）。
【００３４】
次に、カウントダウンタイマのカウント値がゼロになるまで待つ（ステップＳ２０９）。
【００３５】
次に、スピーカスイッチＳＷＲをオフ状態からオン状態に切り換える（ステップＳ２１１）。
【００３６】
［実施形態２］
実施形態１は、家庭等に設置される電話装置を改良したものであるが、実施形態２は、会社等に設置される電話交換機を同様に改良したものである。
【００３７】
図７を参照すると、実施形態２による電話交換機２０１は、アナログ局線インターフェース部２０２、パス制御部２０３、内線インターフェース部２０４及びＣＰＵ２０５を備える。
【００３８】
アナログ局線インターフェース部２０２は、電話局の加入者回路２１１と接続される。内線インターフェース部２０４は、内線端末２１２と接続される。パス制御部２０３は、アナログ局線インターフェース部２０２と内線インターフェース部２０４とを接続する。ＣＰＵ２０５は、パス制御部２０３を制御する。
【００３９】
加入者回路２１１から電話交換機２０１を介して内線端末２１２に着信が入り、内線端末２１２でオフフックが行われると、アナログ局線インターフェース部２０２は、加入者回路２１１に対してオフフックの応答を返す。ＣＰＵ２０５は、その応答の返信から所定時間経過後、パス制御部２０３を制御することにより、アナログ局線インターフェース部２０２の通話部分と内線インターフェース部２０４の通話部分とを接続する。
【００４０】
こうすることにより、内線端末２１２において、リンガ音がスピーカから出力されることを防止することが可能となる。
【００４１】
［実施形態３］
実施形態３は、実施形態２を変形したものである。
【００４２】
図８を参照すると、実施形態３による電話交換機２０１Ｂは、アナログ局線インターフェース部２０２Ｂ、パス制御部２０３、内線インターフェース部２０４及びＣＰＵ２０５を備える。アナログ局線インターフェース部２０２Ｂは、アナログ局線インターフェース内パス制御部２０６及びＳｕｂ  ＣＰＵ２０７を備える。
【００４３】
アナログ局線インターフェース部２０２Ｂは、電話局の加入者回路２１１と接続される。内線インターフェース部２０４は、内線端末２１２と接続される。パス制御部２０３は、アナログ局線インターフェース部２０２と内線インターフェース部２０４とを接続する。ＣＰＵ２０５は、Ｓｕｂ  ＣＰＵ２０７を備える。Ｓｕｂ  ＣＰＵ２０７は、アナログ局線インターフェース内パス制御部２０６を制御する。
【００４４】
加入者回路２１１から電話交換機２０１を介して内線端末２１２に着信が入り、内線端末２１２でオフフックが行われると、アナログ局線インターフェース部２０２Ｂは、加入者回路２１１に対してオフフックの応答を返す。ＣＰＵ２０５は、その応答の返信から所定時間経過後、Ｓｕｂ  ＣＰＵ２０７を介して、アナログ局線インターフェース内パス制御部２０６を制御することにより、アナログ局線インターフェース部２０２Ｂの通話部分と内線インターフェース部２０４の通話部分とを接続する。
【００４５】
こうすることにより、内線端末２１２において、リンガ音がスピーカから出力されることを防止することが可能となる。
【図面の簡単な説明】
【００４６】
【図１】従来例による電話装置の構成を示す回路図である。
【図２】電話局の加入者回路の構成を示す回路図である。
【図３】従来例によるオフフック時の動作を示すタイミング図である。
【図４】本発明の実施形態１による電話装置の構成を示す回路図である。
【図５】本発明の実施形態１によるオフフック時の動作を示すタイミング図である。
【図６】本発明の実施形態１による電話回線接続方法を示すフローチャートである。
【図７】本発明の実施形態２による電話交換機の構成を示すブロック図である。
【図８】本発明の実施形態３による電話交換機の構成を示すブロック図である。
【符号の説明】
【００４７】
１０１  ハンドセット
１０３  オフフック検出部
１０５  フックスイッチ制御部
１０７  遅延回路
１０９  スピーカスイッチ制御部
Ｂ  リンガ
ＨＳ１、ＨＳ２  フックスイッチ
Ｒ  スピーカ
ＳＷＲ  スピーカスイッチ
Ｔ  マイク
【図１】
2006325089.tif 000003
【図２】
2006325089.tif 000004
【図３】
2006325089.tif 000005
【図４】
2006325089.tif 000006
【図５】
2006325089.tif 000007
【図６】
2006325089.tif 000008
【図７】
2006325089.tif 000009
【図８】
2006325089.tif 000010